(57)【特許請求の範囲】
【請求項１】
負荷時タップ切換器の予備選択器における接点装置であって、
その際、この予備選択器が別個の、円筒形の絶縁材ハウジングを有し、この絶縁材ハウジングの壁部が穿孔を有し、これら穿孔内に固定の予備選択器の接触子が固定されており、
その際、これら予備選択器の接触子が、この絶縁材ハウジングの内側に延在するタップ切換可能な接触子領域、この絶縁材ハウジングの壁部を貫通する接触子シャフト、および絶縁材ハウジングの外側で延在する固定手段並びに端子表面を有する様式の上記接点装置において、
接触子領域は、接触子リング（２１）から成り、この接触子リングが基本的に水平方向におよび絶縁材ハウジング（１）の内側壁部に対して同心的に設けられていること、
それぞれの穿孔（１１）の輪郭は、絶縁材ハウジング（１）の長手方向に延在する少なくとも１つの組付けスリット（１２，１３）によって拡大されており、この組付けスリットの幅が、それぞれの固定された予備選択器の接触子（２）の端子表面（２７）の厚さよりも大きいこと、
接触子シャフト（２２）は、特別な幾何学的な輪郭を有する少なくとも１つの固定面（２４，２５）を有すること、
少なくとも１つの組付けスリット（１２，１３）の分だけ拡大された穿孔（１１）の輪郭の中に、それぞれ１つの位置決め部材（３）が挿入されており、この位置決め部材は幾何学的に、この位置決め部材がこの輪郭を少なくともほぼ充填するように形成されていること、および、
位置決め部材（３）は、内側の円形輪郭（３６）を有し、この内側の円形輪郭（３６）に少なくとも１つの固定輪郭（３７，３８）が形成されているようにこの内側の円形輪郭が接触子シャフト（２２）に相応し、予備選択器の接触子（２）の形状一体的な固定が行なわれるようにこの固定輪郭が少なくとも１つの固定面（２４，２５）に相応していること、
を特徴とする接点装置。
【請求項２】
位置決め部材（３）は、外側の円形輪郭（３３）を有し、この外側の円形輪郭が、それぞれの穿孔（１１）に相応すること、および、
この位置決め部材は、形成された組付けスリットカバー部（３１，３２）を有し、これら組付けスリットカバー部が、組付けスリット（１２，１３）に相応すること、
を特徴とする請求項１に記載の接点装置。
【請求項３】
位置決め部材（３）の厚さは、この厚さが絶縁材ハウジング（１）の壁部の厚さにほぼ一致するように寸法を設定されていることを特徴とする請求項１または２に記載の接点装置。
【請求項４】
固定手段は、接触子シャフト（２２）上で、この接触子シャフトの外方へ指向する領域に設けられているねじ山（２６）、および外方からねじで固定可能な固定ナット（９）から成ることを特徴とする請求項１から３のいずれか一つに記載の接点装置。
【請求項５】
固定ナット（９）によって、付加的に保護部材（４）及び／または保護部材（１０）のための他の手段が固定可能であることを特徴とする請求項４の接点装置。
【発明の詳細な説明】
【０００１】
本発明は、負荷時タップ切換器の予備選択器における接点装置に関する。
【０００２】
負荷時タップ切換器の場合、それぞれ可能な調節領域の拡大のために予備選択器を設けることは、久しい以前から一般的である。この予備選択器は、タップ巻線（Stufenwicklung）の入−切の切換え（Zur- und Gegenschaltung）のための転位選択器としてか、それとも転位ステップ（Grobstufe）の開始または終了におけるタップ巻線の方向転換のための極性切換器としてか、に用いられる。このような公知の予備選択器は、通常それぞれの位相のために、３つの固定の予備選択器の接触子から構成されており、その際、両方の固定接触子のそれぞれ１つの接触子が「プラス」−接触子または「マイナス」−接触子に、第３の固定接触子によってゼロ−接触子に結合されている。
【０００３】
ブルガリアの会社の刊行物「オンロード  タップ  チェンジャー  タイプＲＳ１２」（0n-load Tap Changer Type RS12）および「オンロード  タップ  チェンジャー  タイプＲＳ１６」（0n-load Tap Changer Type RS16）から、負荷時タップ切換器の予備選択器が公知であり、この予備選択器は、負荷時タップ切換器の絶縁材シリンダの外側で、この絶縁材シリンダの長手方向に延在している。これら固定の予備選択器の接触子は、一列に設けられており、球形の接触子表面を有し、且つ長手方向で摺動可能な、接触子ブリッジを有する切換軸によって、上記に説明した方法でタップ切換される。
【０００４】
更に、ドイツ連邦共和国実用新案第９３  ０８  ４２４号明細書から予備選択器が公知であり、多重−転位選択器（Mehrfach-Grobwahler）として形成されており、且つ別個のハウジングを有している。その際、この予備選択器の操作は、回転可能な切換軸によって行なわれる。この場合、これら固定の予備選択器の接触子は、同様にそれぞれ１つの球形の接触子表面を有し、これら接触子表面が、回転可能な切換軸に設けられ且つこの旋回可能な可動の接触子によって、タップ切換可能である。
【０００５】
公表されていないドイツ連邦共和国特許第１９８  ３６  ４６３号明細書において、予備選択器が提案され、この予備選択器は、負荷時タップ切換器から分離された構造部品群として、別個の絶縁材ハウジング内に格納されており、この絶縁材ハウジングの内部において、長手方向に摺動可能な切換えロッドが設けられている。この場合、これら固定の予備選択器の接触子は、円形に形成されており、且つ同心に切換えロッドの周囲に、絶縁材ハウジングの内部において異なる面で設けられている。しかしながら、このような円筒形の絶縁材ハウジングの内部へのこのような円形の同心的な固定の予備選択器の接触子の組付けが、極めて困難なことは明らかである。その際に、電圧の理由（Spannungsgrunden）から予備選択器全体を担持する円筒形の絶縁材ハウジングが一体的に形成されており、且つそれに加えて大きな開口部、即ち絶縁物質の遮断部を備えるべきでなく、他方しかし、これら固定の予備選択器の接触子を内部へと運ぶためにおよびそこで固定するために、このような開口部が必要であるということは考慮に入れるべきである。
【０００６】
従って、本発明の課題は、これら欠点を排除すること、および本発明による接点装置を提供することであり、この接点装置の場合、円形に形成された固定の予備選択器の接触子が、簡単な方法で予備選択器を収容する円筒形の絶縁材ハウジングに固定可能である。
【０００７】
この課題は、請求項１の特徴を有する本願明細書に記載した様式の接点装置によって解決される。下位の請求項は、特に有利な本発明の更なる構成に関する。
【０００８】
本発明による接点装置は、一連の利点を有する。即ち一方では、固定の予備選択器の接触子が自身で、この予備選択器の接触子の様式において完全な電極を形成し、且つその絶縁材シリンダー内においてこの予備選択器の接触子が固定される前記絶縁材シリンダーの使用可能な内径を最適に利用する。この予備選択器の接触子は、内側から固定することができ、従ってこの予備選択器の接触子は、後で更に詳しく説明されるように、内側に自身で挿入され、且つこの予備選択器の接触子の接続手段が、相応する開口部を通って外方へ案内するように組付けられる。従って、他の開口部または切欠は、絶縁材ハウジングにおいて必要ない。この接点装置全体は、垂直方向の端子および水平方向の端子に関して、絶縁材シリンダーの外側で、同様の方法によって適している。更に、本発明による接点装置によって、固定の予備選択器の接触子の、誤回転を防止するおよび公差を均衡する固定が可能であり、且つ要するに、簡単な方法で付加的な保護部材およびシールドリングの固定が、ポテンシャル的な結合（Potentialanlenkung）をも含めて可能である。
【０００９】
次に、図を基にして本発明の実施例を更に詳しく説明する。図１から図５までにおいて、本発明による接点装置が、全体的に、並びにいくつかの構造部品群または個別部品として図示されている。円筒形の絶縁材ハウジング１は、固定されるべき固定の予備選択器の接触子のそれぞれのために、１つの穿孔１１を有している。簡略化の理由から、これら穿孔の内のそれぞれただ１つだけが図示されている。この穿孔１１は、絶縁材ハウジング１の長手方向で、上方に向かって上部の組付けスリット１２の分だけ、および下方に向かって下部の組付けスリット１３の分だけ拡大されており、従って全体でそれぞれ１つの、図３において詳細に図示された輪郭を有する開口部が形成される。固定の予備選択器の接触子２は、固有の接触子リング２１を有し、この接触子リングが、絶縁材ハウジングの内部において同心に、図示されていない駆動軸の周囲に延在し、且つこの接触子リングが、同様に図示されていない可動の予備選択器の接触子または予備選択器の接触子ブリッジによってタップ切換可能である。更に、それぞれの予備選択器の接触子２は、接触子シャフト２２を有し、この接触子シャフトが、相応する絶縁材ハウジング１の穿孔１１を通って外方へと通じている。電極として形成されているストッパー２３によって、予備選択器の接触子２の所定の接触が、絶縁材ハウジング１の内側壁に保証される。この接触子シャフト２２は、この接触子シャフトのそのものの円筒形の外周に、２つの側方の固定面２４、２５を有し、この固定面の機能を引続いて更に詳しく説明する。前方の領域において接触子シャフト２２にはねじ山２６が、および外側の端部には端子穿孔２８を有する端子表面２７が設けられている。その端子表面で、それぞれの予備選択器の接触子へと導く相応する電気的な接続導線が固定される。更に、本発明による接点装置は、絶縁材から成る位置決め部材３を有している。この位置決め部材は、単独で、図４において詳細に図示されている。この位置決め部材３は，上部の組付けスリットカバー部３１および下部の組付けスリットカバー部３２を備え、これら組付けスリットカバー部が翼状に延在している。これら両方の組付けスリットカバー部３１、３２は、これら組付けスリットカバー部の形状において、既に説明した相応する穿孔１１における組付けスリット１２、１３に相応している。その他に、この位置決め部材３は、外側の円形輪郭３３を有し、この外側の円形輪郭が穿孔１１の直径に相応している。更に、この位置決め部材は、内側の円形輪郭３６を備え、この内側の円形輪郭が接触子シャフト２２の直径に相応している。この内側の円形輪郭３６に、２つの側方の固定輪郭３７、３８が形成されており、これら固定輪郭それ自体が、両方の固定面２４、２５に相応している。組付けられた状態において、この位置決め部材は、穿孔１１並びに組付けスリット１２、１３内に挿入されており、且つ同時に、予備選択器の接触子２における対になっている固定面２４、２５、および固定輪郭３７、３８によって、予備選択器の接触子のための誤回転防止として作用している。位置決め部材３において、更にストッパー３５が形成されており、このストッパーは、この部材が絶縁材ハウジング１の内側に滑り抜けることを防止する。外方に突出する接触子シャフト２２上に、位置決め部材３が説明した方法で差込まれた後に、更に保護部材４が挿入され、且つ固定ナット９によって、および更にその中間に設けられたディスク５、６、７、８によって、この固定ナット９がねじ山２６に締付けられるというやり方で装置全体は固定される。付加的な固定手段無しに、そのことは図２において図示されているように、他の予備選択器の保護部材を固定することも更に可能である。
【００１０】
それぞれ図６において、多数の連続図で予備選択器の接触子２の組付けが示されている。接触子が、適当な、ここで図示されていない装置、引張装置を用いて、例えば、組付けスリット１２、１３を有する相応する穿孔１１の、その領域に固定が行なわれるべき領域に至るまでの内側において、押し込まれることが見て取れる。そこで、それぞれの予備選択器の接触子２の、ゆっくりした立ち上げが行なわれ、その際、形成された端子表面２８を有する接触子シャフト２２が、それぞれの穿孔１１および両方の組付けスリット１２、１３から形成される輪郭によって、外側に旋回される。この予備選択器の接触子２が、この予備選択器の接触子の最終的な位置に、即ち接触子リング２１が水平方向の位置に到達した場合、位置決め部材３が外方から差込まれ、且つ従って誤回転防止は、更に上記で詳細に説明された固定面２４、２５および固定輪郭３７、３８の協働によって実現される。引続いて、装置全体は、ねじ山２６に固定ナット９をねじってはめ込むことによって、場合によっては、他の構造要素の中間状態のもとで固定され、組付けは完了される。
【００１１】
それぞれの固定面２４、２５の、およびそれらと協働する固定輪郭３７、３８ために、多様な幾何学上の構成は可能であり、その配設は、ここで説明された接触子シャフト２２の側方を平坦にすることに限定されない。
【００１２】
位置決め部材３は、この位置決め部材の厚さにおいて、合目的に、この位置決め部材が円筒形の絶縁材ハウジング１の厚さに一致するように寸法を設定されており、従って、この位置決め部材は、組付けされた状態において、ストッパー２３に内部で支持され、且つ完全に、絶縁材ハウジング１の表面内に隠れる。
【００１３】
従って、内側から組付けられた予備選択器の接触子２の、形状一体的な、誤回転防止された固定は、保証される。予備選択器の接触子は自体で、協働し相応する固定面２４、２５によって、一方では固定輪郭３７、３８、他方では位置決め部材３に対して、固定されている。この位置決め部材は、他方また、この位置決め部材の、相応する穿孔１１のそれぞれ上部および下部の組付けスリット１２、１３内に係合する上部のおよび下部の組付けスリットカバー部３１、３２によって、絶縁材ハウジング１に対して固定されている。外方からねじ山２６に固定ナット９を取り付けることによって、付加的に強固な力一体的な結合が行なわれる。
【００１４】
図６において、説明された組付けが、相応する端子表面２７が組付けされた状態において水平方向にまたは垂直方向に設けられているべきかどうかに依存しないで可能であることが、同様にまさしく示されている。第１の水平方向に設けられている場合において、この組付けは、接触子リング２１の垂直方向の状態で行い、且つ位置決め部材３の差込前に、接触子シャフト２２は、外方から９０度だけ回転されねばならない。第２の垂直方向に設けられている場合において、このような回転は必要ではない。
【図面の簡単な説明】
【図１】  本発明による接点装置の斜視図（分解図）である。
【図２】  この接点装置の側方の断面図である。
【図３】  円筒形の絶縁材ハウジングの詳細図である。
【図４】  本発明による装置の位置決め部材の単独の図である。
【図５】  （ａ）は、固定の予備選択器の接触子の、単独の上方からの図であり、（ｂ）は、固定の予備選択器の接触子の、単独の前方からの図である。
【図６】  （ａ）は、円筒形の絶縁材ハウジング内への、垂直方向の端子表面を有する固定の予備選択器の接触子の、組込みの場合のいくつかの連続の図であり、（ｂ）は、円筒形の絶縁材ハウジング内への、水平方向の端子表面を有する固定の予備選択器の接触子の、組込みの場合のいくつかの連続の図である。
【符号の説明】
１    円筒形の絶縁材ハウジング
１１  固定接触子の収容のための穿孔
１２  上部の組付けスリット
１３  下部の組付けスリット
２    固定の予備選択器の接触子
２１  接触子リング
２２  接触子シャフト
２３  ストッパー
２４  第１の側方の固定面
２５  第２の側方の固定面
２６  ねじ山
２７  端子表面
２８  端子穿孔
３    位置決め部材
３１  上部の組付けスリットカバー部
３２  下部の組付けスリットカバー部
３３  外側の円形輪郭
３４  半径方向のストッパー
３６  内側の円形輪郭
３７  第１の固定輪郭
３８  第２の固定輪郭
４    保護部材
５    ディスク
６    ディスク
７    ディスク
８    ディスク
９    固定ナット
１０  予備選択器の保護部材
【図１】
0004334149.tif 000002
【図２】
0004334149.tif 000003
【図３】
0004334149.tif 000004
【図４】
0004334149.tif 000005
【図５】
0004334149.tif 000006
【図６ａ】
0004334149.tif 000007
【図６ｂ】
0004334149.tif 000008